(57)【要約】【課題】複数の第１ノズルが設置される第１ヘッドと、複数の第２ノズルが設置される第２ヘッドとの位置調整を行うことなく、シートに対し、複数の第１ノズルから吐出されたインクと複数の第２ノズルから吐出されたインクとの重なり幅を調整することができるインクジェット記録装置を提供する。【解決手段】インクジェット記録装置１は、画像形成部４０と、生成部９２と、記憶部８０とを備える。生成部９２は、シートＳ上に調整用画像Ｂを生成する。調整用画像Ｂは、第１後尾画像α８と、第１先頭画像α９と、第１連続画像α１２とを含む。記憶部８０は、第１対応情報と、第２対応情報とを記憶する。【選択図】図６
2018167417.tif 000002
【特許請求の範囲】
【請求項１】
複数の第１ノズル及び複数の第２ノズルを有する画像形成部と、
前記複数の第１ノズルと前記複数の第２ノズルとを制御してシート上に調整用画像を生成する生成部と、
複数種類の記号に関する情報を記憶する記憶部と、
を備え、
前記複数の第１ノズルは、前記シートの搬送方向に対して垂直な配列方向に沿って並び、
前記複数の第２ノズルは、前記複数の第１ノズルと同一の方向に並び、
前記複数の第１ノズルの一部と前記複数の第２ノズルの一部とが、前記搬送方向に間隔を空けて隣り合い、
前記調整用画像は、後尾画像と、先頭画像と、連続画像とを含み、
前記後尾画像は、前記複数の第１ノズルのうちの後尾に位置する前記第１ノズルが吐出するインクにより形成され、
前記先頭画像は、前記複数の第２ノズルが吐出するインクにより形成される画像のうちで、前記配列方向先頭側の縁部に位置する画像を示し、
前記連続画像は、前記後尾画像と前記先頭画像とのうちで、前記配列方向先頭側から後尾側に向かって、前記後尾画像と前記先頭画像とが、前記後尾画像及び前記先頭画像の順に並ぶ部分の画像を示し、
前記記憶部は、
前記複数の第２ノズルのうちで、前記先頭画像を形成する前記第２ノズルの各々と、前記記号の種類とを対応させた第１対応情報と、
前記記号の種類と、前記複数の第１ノズル及び前記複数の第２ノズルのうちで、インクを吐出させないノズルとを対応させた第２対応情報と
を記憶する、インクジェット記録装置。
【請求項２】
前記後尾画像は、前記搬送方向に延びており、
前記先頭画像は、前記搬送方向の上流に向かう程、前記配列方向後尾側へ位置する、請求項１に記載のインクジェット記録装置。
【請求項３】
前記複数の第２ノズルのうち前記先頭画像を形成する前記第２ノズルが異なる毎に、パターン画像を前記配列方向に区画して、前記パターン画像を複数の領域に区画する区画部と、
前記第１対応情報に基づいて、前記複数の領域の各々に、前記複数種類の記号のうちのいずれか１つを割り当てる割当部と、
前記複数種類の記号のうちのいずれか１つを指定する指定情報を受信して、前記指定情報と前記第２対応情報とに基づいて、前記複数の第１ノズルと前記複数の第２ノズルとのうちで、インクを吐出させないノズルを決定する決定部と
をさらに備え、
前記パターン画像は、前記生成部が前記調整用画像を生成する際の前記複数の第１ノズルと前記複数の第２ノズルとの各々の動作のパターンを示す情報を有し、
前記生成部は、前記パターン画像に基づいて前記調整用画像を生成する、請求項１又は請求項２に記載のインクジェット記録装置。
【請求項４】
前記生成部は、前記パターン画像の前記複数の領域の各々に、前記割当部が割り当てた前記記号の画像を配置し、
前記調整用画像は、前記複数種類の記号の各々の画像をさらに含む、請求項３に記載のインクジェット記録装置。
【請求項５】
前記調整用画像は、前記シート上に形成される前記インクの単一のインク跡を一単位として、前記調整用画像を一単位毎にマトリックス状に区画した区画線を表す画像をさらに含む、請求項３又は請求項４に記載のインクジェット記録装置。
【請求項６】
前記指定情報の入力を受け付ける入力部をさらに備え、
前記決定部は、前記入力部を介して前記指定情報を受信する、請求項３〜請求項５のいずれか一項に記載のインクジェット記録装置。
【請求項７】
前記調整用画像を読み取る読取部と、
前記読取部が読み取った前記調整用画像に基づいて、前記連続画像に対応する前記記号を識別する識別部と
をさらに備え、
前記決定部は、前記識別部が識別した前記記号を示す情報を、前記指定情報として受信する、請求項４に記載のインクジェット記録装置。
【請求項８】
前記画像形成部を通過した前記シートを、前記画像形成部よりも前記搬送方向の上流に位置する戻り位置へ案内する搬送路を有し、
前記読取部は、前記画像形成部と前記戻り位置との間に設置される、請求項７に記載のインクジェット記録装置。
【発明の詳細な説明】
【技術分野】
【０００１】
本発明は、インクジェット記録装置に関する。
【背景技術】
【０００２】
特許文献１に記載のインクジェット記録装置では、交互領域と、第１隣接領域と、第２隣接領域とを有する第１検査用画像を印刷させる。交互領域には、ノズルから吐出されたインクのドットによって形成される第１パターンと、ノズルから吐出されたインクのドットによって形成される第２パターンとが、交互に配列される。また、交互領域では、左端にパターンが配置され、右端にパターンが配置される。第１隣接領域には、ノズルから吐出されたインクのドットによって形成される第３パターンが配置される。第２隣接領域には、ノズルから吐出されたインクのドットによって形成される第４パターンが配置される。
【０００３】
従って、第１ヘッドユニットと第２ヘッドユニットとが、配列方向にずれている場合には、第１検査用画像を印刷すると、印刷された画像に第１パターンと第２パターンとが配列方向にずれることで被記録媒体の筋ができる。また、第１ヘッドユニットが第２ヘッドユニットに対して配列方向の一方側にずれた場合に、配列方向の他方側にずれた場合よりも、筋の数が多くなる。従って、筋の数によって、第１ヘッドユニットと第２ヘッドユニットとのずれの向きを容易に検出することができる。そして、第１ヘッドユニットと第２ヘッドユニットとのずれ量に基づいて、第１ヘッドユニットと第２ヘッドユニットとの位置調整を行う。
【先行技術文献】
【特許文献】
【０００４】
【特許文献１】特開２０１４−１７２３６２号公報
【発明の概要】
【発明が解決しようとする課題】
【０００５】
しかし、ユーザーにとって、第１ヘッドユニット（第１ヘッド）と第２ヘッドユニット（第２ヘッド）との位置調整を行うことは困難である。また、第１ヘッドユニットと第２ヘッドユニットとの位置調整を行わなかった場合、第１ヘッドユニットのノズルから吐出されたインクと、第２ヘッドユニットのノズルから吐出されたインクとが、被記録媒体上で重なる。その結果、被記録媒体に形成される画像の質が低下するおそれがある。従って、第１ヘッドユニットと第２ヘッドユニットとの位置調整を行うことなく、シートに吐出されたインクの重なり幅を調整したいとする旨のユーザーの要望があった。
【０００６】
本発明は、上記課題に鑑みてなされたものであり、複数の第１ノズルが設置される第１ヘッドと、複数の第２ノズルが設置される第２ヘッドとの位置調整を行うことなく、シートに対し、複数の第１ノズルから吐出されたインクと複数の第２ノズルから吐出されたインクとの重なり幅を調整することができるインクジェット記録装置を提供することを目的としている。
【課題を解決するための手段】
【０００７】
本発明の一局面によれば、インクジェット記録装置は、画像形成部と、生成部と、記憶部とを備える。画像形成部は、複数の第１ノズル及び複数の第２ノズルを有する。生成部は、前記複数の第１ノズルと前記複数の第２ノズルとを制御してシート上に調整用画像を生成する。記憶部は、複数種類の記号に関する情報を記憶する。前記複数の第１ノズルは、前記シートの搬送方向に対して垂直な配列方向に沿って並ぶ。前記複数の第２ノズルは、前記複数の第１ノズルと同一の方向に並ぶ。前記複数の第１ノズルの一部と前記複数の第２ノズルの一部とが、前記搬送方向に間隔を空けて隣り合う。前記調整用画像は、後尾画像と、先頭画像と、連続画像とを含む。前記後尾画像は、前記複数の第１ノズルのうちの後尾に位置する前記第１ノズルが吐出するインクにより形成される。前記先頭画像は、前記複数の第２ノズルが吐出するインクにより形成される画像のうちで、前記配列方向先頭側の縁部に位置する画像を示す。前記連続画像は、前記後尾画像と前記先頭画像とのうちで、前記配列方向先頭側から後尾側に向かって、前記後尾画像と前記先頭画像とが、前記後尾画像及び前記先頭画像の順に並ぶ部分の画像を示す。前記記憶部は、第１対応情報と、第２対応情報とを記憶する。第１対応情報は、前記複数の第２ノズルのうちで、前記先頭画像を形成する前記第２ノズルの各々と、前記記号の種類とを対応させた情報を示す。第２対応情報は、前記記号の種類と、前記複数の第１ノズル及び前記複数の第２ノズルのうちで、インクを吐出させないノズルとを対応させた情報を示す。
【発明の効果】
【０００８】
本発明によれば、複数の第１ノズルが設置される第１ヘッドと、複数の第２ノズルが設置される第２ヘッドとの位置調整を行うことなく、シートに対し、複数の第１ノズルから吐出されたインクと複数の第２ノズルから吐出されたインクとの重なり幅を調整することができる。
【図面の簡単な説明】
【０００９】
【図１】本発明の実施形態に係るインクジェット記録装置の概略構成図。
【図２】画像形成部を下方から見た図。
【図３】インクジェット記録装置を示すブロック図。
【図４】パターン画像を示す図。
【図５】（ａ）第１対応情報を示す図、（ｂ）第２対応情報を示す図、（ｃ）第３対応情報を示す図、（ｄ）第４対応情報を示す図。
【図６】調整用画像の模式図。
【図７】制御装置の動作を示すフローチャート。
【図８】シートに画像を形成している状態を示す図。
【図９】インクジェット記録装置を示すブロック図。
【図１０】制御装置の動作を示すフローチャート。
【発明を実施するための形態】
【００１０】
［第１実施形態］
図１を参照して、インクジェット記録装置１００の第１実施形態について説明する。図１は、インクジェット記録装置１００の概略構成を示す。
【００１１】
図１に示すように、インクジェット記録装置１００は、搬送装置１０と、カセット３０と、排出トレイ３１と、画像形成部４０と、読取部５０とを備える。
【００１２】
搬送装置１０は、給送部１１と、シート搬送路１２と、第１ベルト搬送部１３と、第２ベルト搬送部１４と、第１搬送路１５と、反転搬送路１６と、分岐部１７と、反転部１８と、第２搬送路（搬送路）１９とを備える。
【００１３】
カセット３０は、シートＳを収容する。給送部１１は、カセット３０内のシートＳをシート搬送路１２に送り出す。シートＳは、例えば、普通紙、厚紙、ＯＨＰシート、封筒、ハガキ、又は送り状である。
【００１４】
シート搬送路１２は、シートＳを画像形成部４０へ案内する。具体的には、シート搬送路１２は、カセット３０から送り出されたシートＳを、第１ベルト搬送部１３を通じて画像形成部４０へ案内する。画像形成部４０は、シートＳにインクを吐出して、シートＳに画像を形成する。第２ベルト搬送部１４は、画像形成部４０によって画像が形成されたシートＳを搬送する。
【００１５】
第１搬送路１５は、第２ベルト搬送部１４から送出されたシートＳを排出トレイ３１へ案内する。その結果、シートＳが排出トレイ３１から排出される。
【００１６】
反転搬送路１６は、第１搬送路１５から分岐する。第１搬送路１５から反転搬送路１６へ搬送されたシートＳは、分岐部１７に向けて送出される。分岐部１７は反転搬送路１６上に位置する。分岐部１７は、シートＳを反転部１８に向けて案内する。
【００１７】
反転部１８は、シートＳの進行方向を反転させ、分岐部１７に向けて送り出す。分岐部１７は、反転部１８から送出されたシートＳを第２搬送路１９へ案内する。第２搬送路１９は、シートＳをシート搬送路１２へ案内する。従って、画像形成部４０を通過したシートＳは、第２搬送路１９を介して、戻り位置１１ａへ案内される。戻り位置１１ａは、画像形成部４０よりもシートＳの搬送方向Ｘの上流に位置し、シート搬送路１２上に位置する。シートＳの搬送方向Ｘは、画像形成部４０がシートＳに画像を形成するときのシートＳの移動方向を示す。
戻り位置１１ａへ案内されたシートＳは、再度、画像形成部４０へ搬送される。また、戻り位置１１ａへ案内されたシートＳは、裏面と表面とが反転している。従って、画像形成部４０は、シートＳの裏面に画像を形成する。
【００１８】
読取部５０は、画像形成部４０と戻り位置１１ａとの間に設置される。読取部５０は、シートＳを走査し、シートＳを示す画像データを生成する。読取部５０は、例えば、ＣＩＳ（Ｃｏｎｔａｃｔ  Ｉｍａｇｅ  Ｓｅｎｓｏｒ）ユニットである。読取部５０は、シート搬送路１２の下方に設置される。読取部５０は、例えば、シートＳの幅を読み取る。その結果、画像形成部４０は、シートＳの幅に合わせて、シートＳに画像を形成する。その結果、インクがシートＳからはみ出でた位置に着弾することを抑制することができる。
【００１９】
次に、図１及び図２を参照して、画像形成部４０について説明する。図２は、画像形成部４０を下方から見た図を示す。つまり、図２は、画像形成部４０を、第１ベルト搬送部１３側から見た図を示す。
【００２０】
図１及び図２に示すように、画像形成部４０は、ハウジング４１と、複数のヘッド部とを有する。ハウジング４１は、複数のヘッド部を支持する。複数のヘッド部は、例えば、第１ヘッド部４２と、第２ヘッド部４３と、第３ヘッド部４４と、第４ヘッド部４５とで構成される。複数のヘッド部の各々は、第１ベルト搬送部１３と対向配置される。複数のヘッド部は、搬送方向Ｘに沿って並んでいる。複数のヘッド部の各々には、インクが供給される。インクの色は、ヘッド部毎に異なる。第１ヘッド部４２には、例えば、ブラックのインクが供給される。第２ヘッド部４３には、例えば、シアンのインクが供給される。第３ヘッド部４４には、例えば、マゼンタのインクが供給される。第４ヘッド部４５には、例えば、イエローのインクが供給される。
【００２１】
複数のヘッド部の各々は互いに同様の構造を有する。従って、第１ヘッド部４２の構造を説明し、他のヘッド部の構造の説明は省略する。
【００２２】
第１ヘッド部４２は、複数のヘッドと、複数のノズルとを有する。複数のヘッドは、例えば、第１ヘッド４２ａと、第２ヘッド４２ｂと、第３ヘッド４２ｃとで構成される。複数のヘッドは、配列方向Ｙに沿って千鳥状に並べられる。配列方向Ｙは、シートＳの搬送方向Ｘに対して垂直な方向を示す。また、配列方向Ｙは、水平方向に対して平行な方向を示す。複数のヘッドの各々には複数のノズルが設置される。複数のノズルは、例えば、複数の第１ノズル４６ａと、複数の第２ノズル４６ｂと、複数の第３ノズル４６ｃとを示す。第１ヘッド４２ａは、複数の第１ノズル４６ａを有する。第２ヘッド４２ｂは、複数の第２ノズル４６ｂを有する。第３ヘッド４２ｃは、複数の第３ノズル４６ｃを有する。複数のノズルの各々は、第１ベルト搬送部１３と対向して配置される。
【００２３】
複数の第１ノズル４６ａと複数の第２ノズル４６ｂとは第１重なり幅Ｙ１を有する。第１重なり幅Ｙ１は、複数の第１ノズル４６ａと複数の第２ノズル４６ｂとにおいて、配列方向Ｙの位置が等しくなる部分の配列方向Ｙの寸法を示す。複数の第２ノズル４６ｂと複数の第３ノズル４６ｃとは第２重なり幅Ｙ２を有する。第２重なり幅Ｙ２は、複数の第２ノズル４６ｂと複数の第３ノズル４６ｃとにおいて、配列方向Ｙの位置が等しくなる部分の配列方向Ｙの寸法を示す。
【００２４】
複数の第１ノズル４６ａは、配列方向Ｙに沿って並んでいる。複数の第１ノズル４６ａのうち、先頭の第１ノズル４６ａは、図２の紙面左側の端に位置する。また、後尾の第１ノズル４６ａは、図２の紙面右側の端に位置する。従って、複数の第１ノズル４６ａは、図２の紙面左側から右側へ向かって並んでいる。配列方向Ｙのうち、図２の紙面左側を先頭側と規定し、図２の紙面右側を後尾側と規定する。
【００２５】
複数の第２ノズル４６ｂは、複数の第１ノズル４６ａと同一の方向に沿って並んでいる。従って、複数の第２ノズル４６ｂにおいて、先頭の第２ノズル４６ｂは、図２の紙面左側の端に位置する。また、後尾の第２ノズル４６ｂは、図２の紙面右側の端に位置する。従って、複数の第２ノズル４６ｂは、図２の紙面左側から右側へ向かって並んでいる。
複数の第２ノズル４６ｂのうちの先頭側の一部と、複数の第１ノズル４６ａのうちの後尾側の一部とが、搬送方向Ｘに間隔を空けて隣り合っている。搬送方向Ｘに間隔を空けて隣り合うとは、搬送方向Ｘの位置が異なり、かつ、配列方向Ｙの位置が等しいことを示す。
【００２６】
複数の第３ノズル４６ｃは、複数の第２ノズル４６ｂと同一の方向に並んでいる。従って、複数の第３ノズル４６ｃにおいて、先頭の第３ノズル４６ｃは、図２の紙面左側の端に位置する。また、後尾の第３ノズル４６ｃは、図２の紙面右側の端に位置する。従って、複数の第３ノズル４６ｃは、図２の紙面左側から右側へ向かって並んでいる。複数の第３ノズル４６ｃは、第１先頭画像α９に対して配列方向Ｙ後尾側に離間している。
複数の第３ノズル４６ｃのうちの先頭側の一部と、複数の第２ノズル４６ｂのうちの後尾側の一部とが、搬送方向Ｘに間隔を空けて隣り合っている。
【００２７】
複数のヘッドの各々は、例えば、圧電素子の変形による圧力を各ノズル内のインクに伝達してメニスカスを揺動させ、インク滴を発生させる。その結果、複数のノズルの各々は、インクを吐出する。複数の第１ノズル４６ａの各々が吐出するインクを第１インクと記載する。複数の第２ノズル４６ｂの各々が吐出するインクを第２インクと記載する。複数の第３ノズル４６ｃの各々が吐出するインクを第３インクと記載する。
【００２８】
複数のヘッド部のそれぞれのノズルは、第１ベルト搬送部１３に吸着されたシートＳに対してインクを吐出する。その結果、シートＳにはシアン、マゼンタ、イエロー、及びブラックの４色のインクが重ね合わされたカラー画像が生成される。
【００２９】
次に、図３を参照して、インクジェット記録装置１００について説明する。図３は、インクジェット記録装置１００を示すブロック図である。
【００３０】
図３に示すように、インクジェット記録装置１００は、入力部６０と、表示部７０と、記憶部８０と、制御装置９０とをさらに備える。
【００３１】
入力部６０は、インクジェット記録装置１００に対するユーザーからの指示を受け付ける。入力部６０は、例えば、タッチパネル、及び／又は、操作キー群で構成される。入力部６０は、例えば、インクジェット記録装置１００の筐体に設置される。
【００３２】
表示部７０は、例えば、ＬＣＤ（Ｌｉｑｕｉｄ  Ｃｒｙｓｔａｌ  Ｄｉｓｐｌａｙ）、又は有機ＥＬＤ（Ｅｌｅｃｔｒｏ  Ｌｕｍｉｎｅｓｃｅｎｃｅ  Ｄｉｓｐｌａｙ）である。表示部７０は、入力部６０と一体化されていてもよい。具体的には、入力部６０と表示部７０とをタッチパネルで構成する。表示部７０は、例えば、インクジェット記録装置１００の筐体に設置される。なお、表示部７０を、筐体とは別体で構成してもよい。
【００３３】
記憶部８０は、記憶装置を含む。記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置は、制御装置９０によって実行される種々のコンピュータープログラムを記憶する。
【００３４】
制御装置９０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置９０は、インクジェット記録装置１００の各要素を制御する。具体的には、プロセッサーは、記憶装置に記憶されたコンピュータープログラムを実行することにより、搬送装置１０と、画像形成部４０と、読取部５０と、入力部６０と、表示部７０と、記憶部８０とを制御する。
【００３５】
制御装置９０は、制御部９１と、生成部９２と、区画部９３と、割当部９４と、決定部９５とを有する。具体的には、プロセッサーが、記憶装置に記憶されたコンピュータープログラムを実行することにより、制御部９１、生成部９２、区画部９３、割当部９４、及び決定部９５として機能する。制御部９１は、画像形成部４０がシートＳに画像を形成するように画像形成部４０を制御する。制御部９１は、例えば、外部のコンピューターに通信可能に接続され、コンピューターから受信した画像データに基づいてシートＳに画像を形成する。
【００３６】
生成部９２は、パターン画像Ａを生成した後、パターン画像Ａに基づいて調整用画像Ｂを生成する。
【００３７】
次に、図４を参照して、パターン画像Ａについて説明する。図４は、パターン画像Ａを示す図である。
【００３８】
図４に示すように、パターン画像Ａは、複数のノズルの各々を所定のパターンで動作させることで生成される画像を示す。具体的には、生成部９２は、パターン画像Ａを記憶部８０内に生成する。そして、生成部９２は、パターン画像Ａを生成したパターンに沿って複数のノズルの動作を制御して調整用画像Ｂを生成する。言い換えれば、パターン画像Ａは、生成部９２が調整用画像Ｂを生成する際の複数のノズルの動作のパターンを示す情報を有する。
【００３９】
パターン画像Ａは記憶部８０内に生成される仮想の画像である。パターン画像Ａが生成される際、複数の第１ノズル４６ａと複数の第２ノズル４６ｂとの第１重なり幅Ｙ１を無くすように、複数の第１ノズル４６ａと複数の第２ノズル４６ｂとの仮想の位置が設定される。また、複数の第２ノズル４６ｂと複数の第３ノズル４６ｃとの第２重なり幅Ｙ２を無くすように、複数の第１ノズル４６ａと複数の第２ノズル４６ｂとの仮想の位置が設定される。
【００４０】
パターン画像Ａは、第１画像α１と、第２画像α２と、第３画像α３と、第４画像α４と、第５画像α５と、第１空白画像β１と、第２空白画像β２とを含む。
第１画像α１は、第１後尾画像（後尾画像）α８を含む。
第２画像α２は、第１先頭画像（先頭画像）α９と、第２後尾画像α１０とを含む。
第３画像α３は、第２先頭画像α１１を含む。
【００４１】
第１画像α１は、複数の第１ノズル４６ａに対して、図４の紙面下方に位置するドットハッチングの画像を示す。第１画像α１は、第１インクにより形成される。第１画像α１は、複数の第１ノズル４６ａの全てが第１インクを吐出することで形成される。従って、第１画像α１の配列方向Ｙの寸法は、複数の第１ノズル４６ａの配列方向Ｙの寸法と同等である。また、第１画像α１は、搬送方向Ｘに延びる略矩形形状を有する。
【００４２】
第２画像α２は、複数の第２ノズル４６ｂに対して、図４の紙面下方に位置するドットハッチングの画像を示す。第２画像α２は、第２インクにより形成される。第２画像α２は、複数の第２ノズル４６ｂの全てが第２インクを吐出している状態から、第２インクを吐出する第２ノズル４６ｂを、複数の第２ノズル４６ｂの先頭から順番に減らしていくことで形成される。第１実施形態では、複数の第２ノズル４６ｂの各々が第２インクを４回吐出する毎に、第２インクを吐出する第２ノズル４６ｂが１つずつ減っている。従って、第２画像α２は、搬送方向Ｘの上流へ向かう程、配列方向Ｙの寸法が小さくなる略台形形状を有する。
【００４３】
第３画像α３は、複数の第３ノズル４６ｃに対して、図４の紙面下方に位置するドットハッチングの画像を示す。第３画像α３は、第３インクにより形成される。第３画像α３は、複数の第３ノズル４６ｃの全てが第３インクを吐出している状態から、第３インクを吐出する第３ノズル４６ｃを、複数の第３ノズル４６ｃの先頭から順番に減らしていくことで形成される。第１実施形態では、複数の第３ノズル４６ｃの各々が第３インクを４回吐出する毎に、第３インクを吐出する第３ノズル４６ｃが１つずつ減っている。従って、第３画像α３は、搬送方向Ｘの上流へ向かう程、配列方向Ｙの寸法が小さくなる略台形形状を有する。
【００４４】
第４画像α４は、複数種類の記号を表す画像である。記号は、例えば、ひらがな、カタカナ、漢字、及びアルファベットのような文字、数字、並びにマークを含む。第４画像α４は、例えば、１から１０までの数字の画像である。パターン画像Ａにおいて、１から１０までの数字の画像は、搬送方向Ｘの上流に向かって、１から順番に増加するように並べられる。１から１０までの数字の画像の各々は、パターン画像Ａの両端に設けられ、配列方向Ｙに間隔を空けて一対設けられる。
【００４５】
第５画像α５は、第１インク、第２インク、及び第３インクの各々の単一のインク跡を一単位として、パターン画像Ａを一単位毎にマトリックス状に区画した区画線を表す画像である。単一のインク跡は、単一のインク滴の画像を示す。
【００４６】
第１後尾画像α８は、複数の第１ノズル４６ａのうちの後尾に位置する第１ノズル４６ａが吐出するインクにより形成される。従って、第１後尾画像α８は、第１画像α１の一部であり、第１画像α１の配列方向Ｙ後尾側の縁部に位置する。第１後尾画像α８は、搬送方向Ｘに延びる。
【００４７】
第１先頭画像α９は、第２画像α２の一部であり、第２画像α２のうちの配列方向Ｙ先頭側の縁部に位置する画像を示す。第１先頭画像α９は、搬送方向Ｘの上流に向かう程、配列方向Ｙ後尾側へ位置する。
【００４８】
第２後尾画像α１０は、複数の第２ノズル４６ｂのうちの後尾に位置する第２ノズル４６ｂが吐出するインクにより形成される。従って、第２後尾画像α１０は、第２画像α２の一部であり、第２画像α２の配列方向Ｙ後尾側の縁部に位置する。第２後尾画像α１０は、搬送方向Ｘに延びる。
【００４９】
第２先頭画像α１１は、第３画像α３の一部であり、第３画像α３のうちの配列方向Ｙ先頭側の縁部に位置する画像を示す。第２先頭画像α１１は、搬送方向Ｘの上流に向かう程、配列方向Ｙ後尾側へ位置する。第２先頭画像α１１は、第１先頭画像α９と同様の形状を有し、第１先頭画像α９に対して配列方向Ｙ後尾側に離間している。
【００５０】
第１空白画像β１は、第１画像α１と第２画像α２との間に存在し、第１インク及び第２インクが吐出されない空白の画像を示す。第２空白画像β２は、第２画像α２と第３画像α３との間に存在し、第２インク及び第３インクが吐出されない空白の画像を示す。
【００５１】
続いて、図４〜図５（ｄ）を参照して、記憶部８０について説明する。
【００５２】
記憶部８０は、第１対応情報と、第２対応情報と、第３対応情報と、第４対応情報とを記憶する。
【００５３】
図５（ａ）は、第１対応情報を示す。
図４及び図５（ａ）に示すように、第１対応情報は、複数の第２ノズル４６ｂのうちで、第１先頭画像α９を形成する第２ノズル４６ｂの各々と、記号の種類とを対応させた情報を示す。第１先頭画像α９を形成する第２ノズル４６ｂは、複数の第２ノズル４６ｂのうちで、第１先頭画像α９を形成する箇所へ第２インクを吐出する第２ノズル４６ｂを示す。第１実施形態では、複数の第２ノズル４６ｂの各々に番号を設定する。そして、第１先頭画像α９を形成する第２ノズル４６ｂを番号で特定する。第２ノズル４６ｂの番号は、配列方向Ｙ先端側から後端側に向かってカウントされる。従って、第１実施形態の第１対応情報は、第１先頭画像α９を形成する第２ノズル４６ｂの番号と、記号の種類とを対応させた情報を示す。第１実施形態では、ｎ番の第２ノズル４６ｂが第１先頭画像α９を形成する場合、ｎ番の第２ノズル４６ｂに対し、記号ｎが対応する（ｎ＝１、２・・・・、１０）。
【００５４】
図５（ｂ）は、第２対応情報を示す。
図４及び図５（ｂ）に示すように、第２対応情報は、記号の種類と、複数の第１ノズル４６ａ及び複数の第２ノズル４６ｂのうちインクを吐出させないノズルとを対応させた情報を示す。第１実施形態では、インクを吐出させないノズルを、複数の第２ノズル４６ｂのなかから選択する。従って、第１実施形態では、第２対応情報は、記号の種類と、複数の第２ノズル４６ｂのうちインクを吐出させないノズルとを対応させた情報を示す。また、複数の第２ノズル４６ｂの各々に対し、第１対応情報のときと同様の番号を設定し、第２インクを吐出させない第２ノズル４６ｂを番号で特定する。第１実施形態では、記号ｎに対し、１番から（ｎ−１）番までの第２ノズル４６ｂが対応する（ｎ＝１、２・・・・、１０）。つまり、記号がｎの場合、１番から（ｎ−１）番までの第２ノズル４６ｂが第２インクを吐出しない。
【００５５】
図５（ｃ）は、第３対応情報を示す。
図４及び図５（ｃ）に示すように、第３対応情報は、複数の第３ノズル４６ｃのうち第２先頭画像α１１を形成する第３ノズル４６ｃの各々と、記号の種類とを対応させた情報を示す。第１実施形態では、第１対応情報と同様に、複数の第３ノズル４６ｃの各々に番号を設定し、第２先頭画像α１１を形成する第３ノズル４６ｃを番号で特定する。第３ノズル４６ｃの番号は、配列方向Ｙ先端側から後端側に向かってカウントされる。従って、第１実施形態の第３対応情報は、第２先頭画像α１１を形成する第３ノズル４６ｃの番号と、記号の種類とを対応させた情報を示す。また、第１実施形態では、ｎ番の第３ノズル４６ｃが第２先頭画像α１１を形成する場合、ｎ番の第３ノズル４６ｃに対し、記号ｎが対応する（ｎ＝１、２・・・・、１０）。
【００５６】
図５（ｄ）は、第４対応情報を示す。
図４及び図５（ｄ）に示すように、第４対応情報は、記号の種類と、複数の第２ノズル４６ｂ及び複数の第３ノズル４６ｃのうちインクを吐出させないノズルとを対応させた情報を示す。第１実施形態では、インクを吐出させないノズルを、複数の第３ノズル４６ｃのなかから選択する。従って、第１実施形態では、第４対応情報は、記号の種類と、複数の第３ノズル４６ｃのうちで、インクを吐出させないノズルとを対応させた情報を示す。また、複数の第３ノズル４６ｃの各々に対し、第３対応情報のときと同様の番号を設定し、第３インクを吐出させない第３ノズル４６ｃを番号で特定する。第１実施形態では、記号ｎに対し、１番から（ｎ−１）番までの第２ノズル４６ｂが対応する（ｎ＝１、２・・・・、１０）。つまり、記号がｎの場合、１番から（ｎ−１）番までの第３ノズル４６ｃが第３インクを吐出しない。
【００５７】
以上、図５（ａ）〜図５（ｄ）を参照して説明したように、記憶部８０は、第１対応情報と、第２対応情報と、第３対応情報と、第４対応情報とを記憶する。
従って、第１対応情報において、第１先頭画像α９を形成する第２ノズル４６ｂと対応する記号を選択する。そして、第２対応情報において、第１対応情報で選択した記号に対応する第２ノズル４６ｂを選択する。そして、第２対応情報で選択した第２ノズル４６ｂに第２インクを吐出させないで画像を形成することで、第１インクと第２インクとの重なり幅を調整することができる。第１インクと第２インクとの重なり幅は、第１インクと第２インクとがシートＳ上で重なる領域の配列方向Ｙの寸法を示す。
その結果、第１ヘッド４２ａと、第２ヘッド４２ｂとの位置調整を行うことなく、第１インクと第２インクとの重なり幅を調整することができる。
【００５８】
また、第３対応情報において、第２先頭画像α１１を形成する第３ノズル４６ｃと対応する記号を選択する。そして、第４対応情報において、第３対応情報で選択した記号に対応する第３ノズル４６ｃを選択する。そして、第４対応情報で選択した第３ノズル４６ｃに第３インクを吐出させないで画像を形成することで、第２インクと第３インクとの重なり幅を調整することができる。第２インクと第３インクとの重なり幅は、第２インクと第３インクとがシートＳ上で重なる領域の配列方向Ｙの寸法を示す。
その結果、第２ヘッド４２ｂと、第３ヘッド４２ｃとの位置調整を行うことなく、第２インクと第３インクとの重なり幅を調整することができる。
【００５９】
続いて、図４、及び図５（ａ）を参照して、区画部９３と割当部９４とについて説明する。
【００６０】
図４に示すように、複数の第２ノズル４６ｂのうち第１先頭画像α９を形成する第２ノズル４６ｂが異なる毎に、区画部９３がパターン画像Ａを配列方向Ｙに区画する。その結果、パターン画像Ａが複数の領域γ１〜領域γ１０に区画される。第１実施形態では、複数の領域γ１〜領域γ１０のうち、ｎ番の第２ノズル４６ｂが第１先頭画像α９を形成した領域を、領域γｎとする（ｎ＝１、２・・・・、１０）。従って、領域γｎに対し、ｎ番の第２ノズル４６ｂが対応する。
【００６１】
図４及び図５（ａ）に示すように、割当部９４は、第１対応情報に基づいて、複数の領域の各々に、複数種類の記号のうちのいずれか１つを割り当てる。詳細には、領域γｎに対しては、ｎ番の第２ノズル４６ｂが対応しているので、第１対応情報において、ｎ番に対応する記号のｎを割り当てる（ｎ＝１、２・・・・、１０）。その結果、領域γ１〜領域γ１０に対し、記号１〜記号１０がそれぞれ割り当てられる。
【００６２】
生成部９２は、パターン画像Ａを生成する際、複数の領域の各々に、割当部９４が割り当てた記号の画像を配置する。その結果、領域γｎには、記号ｎの画像が表示される（ｎ＝１、２・・・・、１０）。つまり、パターン画像Ａにおいて、複数種類の記号を表す第４画像α４が表示される。
【００６３】
次に、図６を参照して、調整用画像Ｂについて説明する。図６は、調整用画像Ｂの模式図である。図６では、調整用画像Ｂを、パターン画像Ａに合わせた形式で表示する。
【００６４】
図６に示すように、調整用画像Ｂは、シートＳ上に形成される。調整用画像Ｂは、記憶部８０内のパターン画像Ａをインクジェット記録装置１００で印刷した画像である。インクジェット記録装置１００では、複数の第１ノズル４６ａと複数の第２ノズル４６ｂとが、第１重なり幅Ｙ１を有する。また、複数の第２ノズル４６ｂと複数の第３ノズル４６ｃとが、第２重なり幅Ｙ２を有する。従って、調整用画像Ｂは、パターン画像Ａと比べて、複数のノズルの配置が異なっている。その結果、調整用画像Ｂは、パターン画像Ａと異なった画像となる。具体的には、調整用画像Ｂにおいて、第１後尾画像α８と第１先頭画像α９とが互いにクロスする点と、第２後尾画像α１０と第２先頭画像α１１とが互いにクロスする点とが、パターン画像Ａと異なっている。
【００６５】
調整用画像Ｂは、第１画像α１と、第２画像α２と、第３画像α３と、第４画像α４と、第５画像α５と、第１空白画像β１と、第２空白画像β２と、第１連続画像（連続画像）α１２と、第２連続画像α１３とを含む。
第１画像α１は、第６画像α６と、第１後尾画像（後尾画像）α８を含む。
第２画像α２は、第６画像α６と、第７画像α７と、第１先頭画像（先頭画像）α９と、第２後尾画像α１０とを含む。
第３画像α３は、第７画像α７と、第２先頭画像α１１を含む。
【００６６】
第６画像α６は、クロス線の領域の画像を示す。第６画像α６は、第１画像α１と第２画像α２との重なる部分の画像である。複数の第１ノズル４６ａと複数の第２ノズル４６ｂとが第１重なり幅Ｙ１を有するため、調整用画像Ｂには、第６画像α６が発生する。
また、第６画像α６が発生するため、調整用画像Ｂの第１空白画像β１の寸法は、パターン画像Ａの第１空白画像β１の寸法よりも小さくなる。
【００６７】
第７画像α７は、クロス線の領域の画像を示す。第７画像α７は、第２画像α２と第３画像α３との重なる部分の画像である。複数の第２ノズル４６ｂと複数の第３ノズル４６ｃとが第２重なり幅Ｙ２を有するため、調整用画像Ｂには、第７画像α７が発生する。
また、第７画像α７が発生するため、調整用画像Ｂの第２空白画像β２の寸法は、パターン画像Ａの第２空白画像β２の寸法よりも小さくなる。
【００６８】
第１連続画像α１２は、斜線の領域の画像を示す。第１連続画像α１２は、第１後尾画像α８と第１先頭画像α９とのうちで、配列方向Ｙ先頭側から後尾側に向かって、第１後尾画像α８と第１先頭画像α９とが、第１後尾画像α８及び第１先頭画像α９の順に並ぶ部分の画像を示す。第１後尾画像α８及び第１先頭画像α９の順に並ぶとは、第１後尾画像α８と第１先頭画像α９との間に第６画像α６と第１空白画像β１とが存在せず、第１後尾画像α８と第１先頭画像α９とが配列方向Ｙに連続して位置していることを示す。第１実施形態では、第１連続画像α１２は、第６画像α６と第１空白画像β１との間に位置する。
【００６９】
第２連続画像α１３は、斜線の領域の画像を示す。第２連続画像α１３は、第２後尾画像α１０と第２先頭画像α１１とのうちで、配列方向Ｙ先頭側から後尾側に向かって、第２後尾画像α１０と第２先頭画像α１１とが、第２後尾画像α１０及び第２先頭画像α１１の順に並ぶ部分の画像を示す。第２後尾画像α１０及び第２先頭画像α１１の順に並ぶとは、第２後尾画像α１０と第２先頭画像α１１との間に第７画像α７と第２空白画像β２とが存在せず、第２後尾画像α１０と第２先頭画像α１１とが配列方向Ｙに連続して位置していることを示す。第１実施形態では、第２連続画像α１３は、第７画像α７と第２空白画像β２との間に位置する。
【００７０】
以上、図６を参照して説明したように、調整用画像Ｂは、第４画像α４を含む。従って、調整用画像Ｂには、複数種類の記号の各々の画像が表示される。その結果、ユーザーは、複数の領域の各々に対応する記号を視認することができる。その結果、ユーザーに対する、第１連続画像α１２と第２連続画像α１３との視認性を向上させることができる。
【００７１】
また、調整用画像Ｂは、第５画像α５を含む。従って、調整用画像Ｂには、区画線の画像が表示される。その結果、ユーザーに対する、第１連続画像α１２と第２連続画像α１３との視認性を向上させることができる。
【００７２】
続いて、図３、図５（ｂ）、図５（ｄ）、及び図６を参照して、入力部６０と決定部９５とについて説明する。
【００７３】
図３、図５（ｂ）、及び図５（ｄ）に示すように、入力部６０は、第１指定情報（指定情報）と第２指定情報との各々の入力を受け付ける。第１指定情報は、第２対応情報に示す複数種類の記号のうちの、いずれか１つを指定する旨の情報を示す。第２指定情報は、第４対応情報に示す複数種類の記号のうちの、いずれか１つを指定する旨の情報を示す。第１指定情報と第２指定情報との各々は、入力部６０を介して決定部９５へ送信される。
【００７４】
図５（ｂ）、及び図６に示すように、決定部９５は、第１指定情報を受信する。そして、決定部９５は、第１指定情報と第２対応情報とに基づいて、複数の第１ノズル４６ａと複数の第２ノズル４６ｂとのうちで、インクを吐出させないノズルを決定する。
【００７５】
第１指定情報において、例えば、記号「５」が指定された場合、決定部９５は、第２対応情報において、記号「５」に対応する情報を選択する。そして、決定部９５は、記号「５」に対応する情報に示された決定を行う。具体的には、決定部９５は、１番から４番までの第２ノズル４６ｂに第２インクを吐出させない旨の決定を行う。
【００７６】
図５（ｄ）、及び図６に示すように、決定部９５は、第２指定情報を受信する。そして、決定部９５は、第２指定情報と第４対応情報とに基づいて、複数の第２ノズル４６ｂと複数の第３ノズル４６ｃとのうちで、インクを吐出させないノズルを決定する。
【００７７】
第２指定情報において、例えば、記号「４」が指定された場合、決定部９５は、第４対応情報において、記号「４」に対応する情報を選択する。そして、決定部９５は、記号「４」に対応する情報に示された決定を行う。具体的には、決定部９５は、１番から３番までの第３ノズル４６ｃに第３インクを吐出させない旨の決定を行う。
【００７８】
以上、図３、図５（ｂ）、図５（ｄ）、及び図６を参照して説明したように、決定部９５が、第２インクを吐出させない第２ノズル４６ｂと、第３インクを吐出させない第３ノズル４６ｃとを決定する。従って、第１インクと第２インクとの重なり幅と、第２インクと第３インクとの重なり幅とを調整することができる。
【００７９】
また、ユーザーは、入力部６０に第１指定情報と第２指定情報とを入力して、第１インクと第２インクとの重なり幅と、第２インクと第３インクとの重なり幅とを調整することができる。
【００８０】
次に、図７を参照して、制御装置９０の動作について説明する。図７は、制御装置９０の動作を示すフローチャートの一例である。
【００８１】
図７に示すように、ステップＳ１１０において、入力部６０は、調整指示の入力を受け付ける。調整指示は、第１重なり幅Ｙ１と、第２重なり幅Ｙ２との調整作業を行う旨の指示を示す。
【００８２】
ステップＳ１２０において、生成部９２は、パターン画像Ａを記憶部８０内に生成する。
【００８３】
ステップＳ１３０において、生成部９２は、パターン画像Ａに基づいて、調整用画像ＢをシートＳ上に生成する。
【００８４】
ステップＳ１４０において、入力部６０は、第１指定情報の入力を受け付ける。
ユーザーは、シートＳ上の調整用画像Ｂを視認する。そして、ユーザーは、第１連続画像α１２を含む領域γ５内に表示された記号が記号「５」であることを確認する（図６参照）。ユーザーは、入力部６０に対し、第１指定情報として、記号「５」を指定する旨の情報を入力する。
【００８５】
ステップＳ１５０において、入力部６０は、第２指定情報の入力を受け付ける。
ユーザーは、シートＳ上の調整用画像Ｂを視認する。そして、ユーザーは、第２連続画像α１３を含む領域γ４内に表示された記号が記号「４」であることを確認する（図６参照）。ユーザーは、入力部６０に対し、第２指定情報として、記号「４」を指定する旨の情報を入力する。
【００８６】
ステップＳ１６０において、決定部９５は、第１指定情報を受信する。そして、決定部９５は、第２対応情報において、記号「５」に対応する情報を選択する（図５（ｂ）参照）。そして、決定部９５は、１番から４番までの第２ノズル４６ｂに第２インクを吐出させない旨の決定を行う。
【００８７】
ステップＳ１７０において、決定部９５は、第２指定情報を受信する。そして、決定部９５は、第４対応情報において、記号「４」に対応する情報を選択する（図５（ｂ）参照）。そして、決定部９５は、１番から３番までの第３ノズル４６ｃに第３インクを吐出させない旨の決定を行う。
【００８８】
次に、図７及び図８を参照して、複数のノズルの動作について説明する。図８は、制御部９１が、決定部９５の決定に基づいて複数のノズルの動作を制御し、シートＳに画像を形成している状態を示す。
【００８９】
図８に示すように、複数の第１ノズル４６ａのうちの全ての第１ノズル４６ａが第１インクを吐出している。
【００９０】
複数の第２ノズル４６ｂのうちの１番から４番までの第２ノズル４６ｂが第２インクを吐出しておらず、残りの第２ノズル４６ｂが第２インクを吐出している。図７に示すステップＳ１６０において、決定部９５が、１番から４番までの第２ノズル４６ｂに第２インクを吐出させない旨を決定したからである。
【００９１】
複数の第３ノズル４６ｃのうちの１番から３番までの第３ノズル４６ｃが第３インクを吐出しておらず、残りの第３ノズル４６ｃが第３インクを吐出している。図７に示すステップＳ１７０において、決定部９５が、１番から３番までの第３ノズル４６ｃに第３インクを吐出させない旨を決定したからである。
【００９２】
従って、制御部９１は、決定部９５の結果に基づいて、複数の第１ノズル４６ａ、複数の第２ノズル４６ｂ、及び複数の第３ノズル４６ｃの動作を制御する。その結果、第１インクと第２インクとがシートＳ上で重なることを抑制でき、第２インクと第３インクとがシートＳ上で重なることを抑制できる。
【００９３】
［第２実施形態］
図１を参照して、調整用画像Ｂが形成された後のシートＳの動作について説明する。続けて、図６、及び図９を参照して、インクジェット記録装置１００の第２実施形態について説明する。
【００９４】
第１実施形態では、ユーザーが第１指定情報と第２指定情報との各々の内容を決定する。これに対し、第２実施形態では、識別部９６が第１指定情報と第２指定情報との各々の内容を識別する。
【００９５】
図１に示すように、シートＳ上に調整用画像Ｂが形成された後、シートＳが第２搬送路１９を介して戻り位置１１ａへ案内される。そして、シートＳ上に形成された調整用画像Ｂが、読取部５０で読み取られる。
【００９６】
図９は、インクジェット記録装置１００を示すブロック図である。
【００９７】
図６、及び図９に示すように、制御装置９０は、識別部９６をさらに備える。具体的には、プロセッサーが、記憶装置に記憶されたコンピュータープログラムを実行することにより、識別部９６として機能する。
【００９８】
識別部９６は、読取部５０が読み取った調整用画像Ｂに基づいて、第１連続画像α１２に対応する記号を識別する。つまり、識別部９６は、読取部５０が読み取った調整用画像Ｂから、第１連続画像α１２に対応する記号を識別する。
【００９９】
識別部９６は、例えば、パターンマッチング用の第１連続画像α１２の基本画像を用いて、第１連続画像α１２を検出する。そして、識別部９６は、調整用画像Ｂ上において、第１連続画像α１２に対して配列方向Ｙの位置が等しい場所にある記号を、第１連続画像α１２に対応する記号として識別する。従って、第１連続画像α１２に対応する記号は、複数の領域のうちで、第１連続画像α１２が位置する領域内に表示される記号を示す。第２実施形態では、第１連続画像α１２が領域γ５内に位置する。また、領域γ５内には記号「５」が表示される。従って、第２実施形態では、識別部９６は、第１連続画像α１２に対応する記号として、記号「５」を識別する。
【０１００】
なお、第２実施形態では、識別部９６が記号を識別する際も、パターンマッチングを用いる。パターンマッチング用の第１連続画像α１２の基本画像と、複数種類の記号の各々の基本画像とは、予め記憶部８０に記憶されている。
【０１０１】
識別部９６は、読取部５０が読み取った調整用画像Ｂに基づいて、第２連続画像α１３に対応する記号を識別する。つまり、識別部９６は、読取部５０が読み取った調整用画像Ｂから、第２連続画像α１３に対応する記号を識別する。
【０１０２】
識別部９６は、例えば、パターンマッチング用の第２連続画像α１３の基本画像を用いて、第２連続画像α１３を検出する。そして、識別部９６は、調整用画像Ｂ上において、第２連続画像α１３に対して配列方向Ｙの位置が等しい場所にある記号を、第２連続画像α１３に対応する記号として識別する。従って、第２実施形態では、識別部９６は、第２連続画像α１３に対応する記号として、記号「４」を識別する。
パターンマッチング用の第２連続画像α１３の基本画像は、予め記憶部８０に記憶されている。
【０１０３】
識別部９６が識別した記号のうちで、第１連続画像α１２に対応する記号「５」を、決定部９５が第１指定情報として受信する。また、第２連続画像α１３に対応する記号「４」を、決定部９５が第２指定情報として受信する。
【０１０４】
以上、図６、及び図９を参照して説明したように、決定部９５が、識別部９６から第１指定情報と第２指定情報とを受信する。従って、決定部９５が、自動的に第２インクを吐出させない第２ノズル４６ｂと、第３インクを吐出させない第３ノズル４６ｃとを決定することができる。その結果、第１インクと第２インクとの重なり幅と、第２インクと第３インクとの重なり幅とを円滑に低減させることができる。
【０１０５】
次に、図１０を参照して、制御装置９０の動作について説明する。図１０は、制御装置９０の動作を示すフローチャートの一例である。
【０１０６】
図１０に示すように、ステップＳ２１０において、入力部６０は、調整指示の入力を受け付ける。
【０１０７】
ステップＳ２２０において、生成部９２は、パターン画像Ａを記憶部８０内に生成する。
【０１０８】
ステップＳ２３０において、生成部９２は、パターン画像Ａに基づいて、調整用画像ＢをシートＳ上に生成する。シートＳは、調整用画像Ｂを生成された後、第２搬送路１９を搬送され、読取部５０に向けて送出される（図１参照）。
【０１０９】
ステップＳ２４０において、読取部５０がシートＳ上の調整用画像Ｂを読み取る。
【０１１０】
ステップＳ２５０において、識別部９６が、第１連続画像α１２に対応する記号を識別する。第２実施形態では、識別部９６が、第１連続画像α１２に対応する記号として、記号「５」を識別する。
【０１１１】
ステップＳ２６０において、識別部９６が、第２連続画像α１３に対応する記号を識別する。第２実施形態では、識別部９６が、第２連続画像α１３に対応する記号として、記号「４」を識別する。
【０１１２】
ステップＳ２７０において、決定部９５は、第１連続画像α１２に対応する記号「５」を、第１指定情報として受信する。そして、決定部９５は、第２対応情報において、記号「５」に対応する情報を選択する（図５（ｂ）参照）。そして、決定部９５は、１番から４番までの第２ノズル４６ｂに第２インクを吐出させない旨を決定する。
【０１１３】
ステップＳ２８０において、決定部９５は、第２連続画像α１３に対応する記号「４」を、第２指定情報として受信する。そして、決定部９５は、第４対応情報において、記号「４」に対応する情報を選択する（図５（ｂ）参照）。そして、決定部９５は、１番から３番までの第３ノズル４６ｃに第３インクを吐出させない旨の決定を行う。
【０１１４】
以上、図１０を参照して説明したように、ステップ２３０において、シートＳは、調整用画像Ｂを生成された後、読取部５０に向けて送出される。従って、生成部９２がシートＳに調整用画像Ｂを生成してから、決定部９５がインクを吐出させないノズルを決定するまでの工程を自動的に行うことができる。
【０１１５】
以上、図面（図１〜図１０）を参照しながら本発明の実施形態について説明した。但し、本発明は、上記の実施形態に限られるものではなく、その要旨を逸脱しない範囲で種々の態様において実施することが可能である（例えば、（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１１６】
（１）第１実施形態では、シートＳ上の調整用画像Ｂに、複数種類の記号を表す第４画像α４と、区画線を表す第５画像α５との両方が表示される（図６参照）。しかし、複数種類の記号を表す第４画像α４と、区画線を表す第５画像α５とのうちのいずれか一方が表示されてもよい。その結果、生成部９２の演算負荷を低減させることができる。
しかし、調整用画像Ｂに第４画像α４が表示されない場合、ユーザーは、例えば、パターン画像Ａ（図４参照）を用意し、パターン画像Ａを視認しながら、調整用画像Ｂでの第４画像α４の位置を推測する。従って、調整用画像Ｂに第４画像α４を表示する方が、調整用画像Ｂの視認性が向上する点で有利である。また、調整用画像Ｂに第５画像α５を表示することで、調整用画像Ｂの視認性を効果的に向上させることができる。
【０１１７】
（２）第１実施形態において、生成部９２がシートＳに調整用画像Ｂを生成した後、読取部５０が調整用画像Ｂを読み取ってもよい。そして、表示部７０が、調整用画像Ｂを表示する。その結果、ユーザーは、表示部７０上の調整用画像Ｂを視認して、入力部６０に第１指定情報と第２指定情報とを入力することができる。
なお、表示部７０と入力部６０とを一体化し、表示部７０と入力部６０とをタッチパネルで構成してもよい。その結果、ユーザーが第１指定情報と第２指定情報とを入力する作業を円滑に行うことができる。
【０１１８】
（３）第２実施形態において、調整用画像Ｂに区画線を表す第５画像α５を表示しなくてもよい。その結果、生成部９２の演算負荷を低減させることができる。
【０１１９】
（４）第１実施形態と第２実施形態とにおいて、決定部９５は、１番から４番までの第２ノズル４６ｂに第２インクを吐出させない旨の決定を行った。しかし、本発明は、これに限定されない。第２インクを吐出させない旨の決定に代えて、決定部９５は、配列方向Ｙ後尾側から数えて、１番目から４番目までの第１ノズル４６ａに第１インクを吐出させない旨の決定を行ってもよい。つまり、決定部９５は、インクを吐出させないノズルを、複数の第１ノズル４６ａのなかから選択してもよい。この場合、第２対応情報は、記号の種類と、複数の第１ノズル４６ａのうちで、第１インクを吐出させないノズルとを対応させた情報を示す。
【０１２０】
（５）第１実施形態と第２実施形態とにおいて、決定部９５は、１番から３番までの第３ノズル４６ｃに第３インクを吐出させない旨の決定を行った。しかし、本発明は、これに限定されない。第３インクを吐出させない旨の決定に代えて、決定部９５は、配列方向Ｙ後尾側から数えて、１番目から３番目までの第２ノズル４６ｂに第２インクを吐出させない旨の決定を行ってもよい。つまり、決定部９５は、インクを吐出させないノズルを、複数の第２ノズル４６ｂのなかから選択してもよい。この場合、第４対応情報は、記号の種類と、複数の第２ノズル４６ｂのうちで、第２インクを吐出させないノズルとを対応させた情報を示す。
【産業上の利用可能性】
【０１２１】
本発明は、シートに画像を形成するインクジェット記録装置の分野に利用可能である。
【符号の説明】
【０１２２】
１９    第２搬送路（搬送路）
４０    画像形成部
４６ａ  第１ノズル
４６ｂ  第２ノズル
５０    読取部
６０    入力部
８０    記憶部
９２    生成部
９３    区画部
９４    割当部
９５    決定部
９６    識別部
Ａ      パターン画像
Ｂ      調整用画像
Ｓ      シート
α８    第１後尾画像（後尾画像）
α９    第１先頭画像（先頭画像）
α１２  第１連続画像（連続画像）
γ１〜γ１０  領域
【図１】
2018167417.tif 000003
【図２】
2018167417.tif 000004
【図３】
2018167417.tif 000005
【図４】
2018167417.tif 000006
【図５】
2018167417.tif 000007
【図６】
2018167417.tif 000008
【図７】
2018167417.tif 000009
【図８】
2018167417.tif 000010
【図９】
2018167417.tif 000011
【図１０】
2018167417.tif 000012